(57)【要約】  【課題】  改質エリアはその他のエリアと異なる機械的性質を有するように形成されることにより、打球の飛距離を有効に増やすことができる。  【解決手段】  ヘッド本体１１およびフェース板１２により構成される表面改質型ゴルフクラブヘッド１であって、ヘッド本体１１またはフェース板１２には少なくとも一個の改質エリア１１１、１２１が形成され、改質エリア１１１、１２１は高エネルギー装置２から発生し、かつエネルギー均一装置を通過したエネルギービームをヘッドの表面に照射してなるように構成されている。【選択図】    図１
2007195935.tif 000002
【特許請求の範囲】
【請求項１】
ヘッド本体（１１）およびフェース板（１２）により構成される表面改質型ゴルフクラブヘッド（１）であって、ヘッド本体（１１）とフェース板（１２）には少なくとも一個の改質エリア（１１１、１２１）が形成され、改質エリア（１１１、１２１）の外側の表面は高エネルギー装置（２）から発生し、かつエネルギー均一装置を通過したエネルギーを接収して照射することにより、その他のエリアと異なる機械的性質を有するように形成されることを特徴とする表面改質型ゴルフクラブヘッド。
【請求項２】
改質エリア（１１１、１２１）はヘッド本体（１１）またはフェース板（１２）の弾性変形の量が比較的大きいエリアに形成されることを特徴とする請求項１記載の表面改質型ゴルフクラブヘッド。
【請求項３】
改質エリア（１１１、１２１）は円環状からなることを特徴とする請求項１記載の表面改質型ゴルフクラブヘッド。
【請求項４】
改質エリア（１１１、１２１）は環状からなることを特徴とする請求項１記載の表面改質型ゴルフクラブヘッド。
【請求項５】
改質エリア（１１１、１２１）の外側の表面の改質深さは１．５ｍｍより小さくなるように形成されることを特徴とする請求項１記載の表面改質型ゴルフクラブヘッド。
【請求項６】
改質エリア（１１１、１２１）の内側の表面は高エネルギー装置（２）のエネルギーを接収して照射するように形成されることを特徴とする請求項１記載の表面改質型ゴルフクラブヘッド。
【請求項７】
改質エリア（１１１、１２１）の外側の表面と内側の表面の改質深さは１．０ｍｍより小さくなるように形成されることを特徴とする請求項６記載の表面改質型ゴルフクラブヘッド。
【請求項８】
高エネルギー装置（２）はレーザー装置またはプラズマ装置により構成されるグループからなることを特徴とする請求項１記載の表面改質型ゴルフクラブヘッド。
【請求項９】
上記エネルギー均一装置は積分鏡（３）からなることを特徴とする請求項１記載の表面改質型ゴルフクラブヘッド。
【請求項１０】
ヘッド本体（１１）とフェース板（１２）は一体成形になるように形成されることを特徴とする請求項１記載の表面改質型ゴルフクラブヘッド。
【請求項１１】
ヘッド本体（１１）およびフェース板（１２）により構成されるゴルフクラブヘッド（１）であって、ゴルフクラブヘッドの表面改質方法は下記の段階を含み、
ａ）高エネルギー装置（２）とエネルギー均一装置を提供する段階と、
ｂ）高エネルギー装置（２）からエネルギービームを輸出し、そしてピンぼけの方式をもって上記エネルギービームを上記エネルギー均一装置に通過させた後、ヘッド本体（１１）とフェース板（１２）の内の一つにある局部エリアを照射することにより、上記局部エリアはその他のエリアと異なる機械的性質を有するように形成される段階とを含む。
【請求項１２】
上記局部エリアは薄壁部（ａ）に位置するように形成されることを特徴とする請求項１１記載のゴルフクラブヘッドの表面改質方法。
【請求項１３】
上記局部エリアの外側の表面は上記エネルギービームの照射を受けることを特徴とする請求項１１記載のゴルフクラブヘッドの表面改質方法。
【請求項１４】
上記局部エリアの外側の表面の改質深さは１．５ｍｍより小さくなるように形成されることを特徴とする請求項１１記載のゴルフクラブヘッドの表面改質方法。
【請求項１５】
上記局部エリアの外側の表面と内側の表面は全て上記エネルギービームの照射を受けることを特徴とする請求項１１記載のゴルフクラブヘッドの表面改質方法。
【請求項１６】
上記局部エリアの外側の表面と内側の表面の改質深さは１．０ｍｍより小さくなるように形成されることを特徴とする請求項１５記載のゴルフクラブヘッドの表面改質方法。
【請求項１７】
高エネルギー装置（２）はレーザー装置またはプラズマ装置により構成されるグループからなることを特徴とする請求項１１記載のゴルフクラブヘッドの表面改質方法。
【請求項１８】
上記エネルギー均一装置は積分鏡（３）からなることを特徴とする請求項１１記載のゴルフクラブヘッドの表面改質方法。
【請求項１９】
上記ピンぼけの方式は正ピンぼけまたは負ピンぼけの方式からなることを特徴とする請求項１１記載のゴルフクラブヘッドの表面改質方法。
【発明の詳細な説明】
【技術分野】
【０００１】
本発明は、表面改質型ゴルフクラブヘッドに関するもので、特に表面が改質を経たゴルフクラブヘッドとその改質方法に係るものである。本発明は、高エネルギー装置を利用してゴルフクラブヘッドの局部に対して熱処理を行ってその機械的性質を変えることにより、ゴルフクラブヘッドにおいて肉厚が同じである異なったエリアの機械的性質は差異性を有するため、打球の飛距離を有効に増やすことができる。
【背景技術】
【０００２】
ゴルフクラブヘッドの設計において、ゴルフクラブヘッドの反発能力を高めるべく、ゴルフクラブヘッドのフェース板の肉厚を減らすのが通常であり、しかし、そのようにするとゴルフクラブヘッドの耐衝撃の強度が低くなるという問題点があった。そのため、いかにゴルフクラブヘッドの反発能力を高め、期待される需要性に符合すると共に、ゴルフクラブヘッドの耐用性を維持することが、ゴルフクラブヘッドの設計において重要な課題になりつつある。このように、フェース板の肉厚を減らし、耐衝撃の強度を高めるという設計上の問題について、若干の文献において各種の異なった解決法案がすでに提出されている。
【０００３】
例えば、従来のゴルフクラブヘッド構造として、アメリカ公告第６，６５２，３９１号においてゴルフクラブヘッドの打球の前壁では肉厚は変化を有するように形成され、特に前壁の内表面の幾何中心の位置の付近において肉厚が比較的大きい突起エリアが形成され、そしてもう一つの実施例において上記突起エリアにはさらに前壁から突出するように環状の塊体が形成される。これにより、ゴルフクラブヘッドの前壁の強度と打球の反発力を同時に高めることができるようにとしたものがある（例えば、特許文献１を参照）。
【０００４】
また、従来のゴルフクラブヘッド構造として、アメリカ公開第２００３００６０３０６号の特許出願においてレーザーの光を利用してゴルフクラブヘッドの表面に対して改質の方法が掲示され、そして中華民国公告第４４８０６４号において高エネルギーの再溶解機構が掲示され、例えばレーザー再溶解機構またはプラズマ再溶解機構を利用してゴルフクラブヘッドのフェース板において局部の再溶解加工を行い、例えばレーザーまたはプラズマの加工を行うことにより、比較的よい硬度の打球面を獲得する方法である。原則としてこのようなレーザー加工または再溶解の加工方法を利用することにより、打球面の機械的性質を変えることができ、例えば硬度と疲労の抵抗を増やすことができるようにとしたものがある（例えば、特許文献２、３を参照）。
【０００５】
さらに、従来のゴルフクラブヘッド構造として、アメリカ公開第６，７７６，７２６号においてゴルフクラブヘッドのフェース板の熱処理方法が掲示される。その方法では主に先ず中央エリアおよび周辺エリアと区分された金属材質のフェース板の全体に対して固溶熱処理（solution heat treatment）と時効熱処理（aging heat treatment）を行い、それから再びレーザービームをもってフェース板の周辺エリアに対して上記周辺エリアの表面硬度が上記中央エリアの表面硬度の０．４５から０．９倍の間まで低くなるまで精確な局部の熱処理を行う。これにより、ゴルフクラブヘッドのフェース板の周辺エリアの弾性変形の能力を増して反発係数（restitution coefficient）を高めることができるだけではなく、同時にフェース板の中央エリアの表面硬度と耐久性を確保することができるようにとしたものがある（例えば、特許文献４を参照）。
【特許文献１】アメリカ公告第６，６５２，３９１号
【特許文献２】アメリカ公開第２００３００６０３０６号
【特許文献３】中華民国公告番号第４４８０６４号
【特許文献４】アメリカ公告第６，７７６，７２６号
【発明の開示】
【発明が解決しようとする課題】
【０００６】
上記のような従来のゴルフクラブヘッド構造においては、その肉厚可変な前壁の製作には鋳造または粉末冶金などの製造工程を経なければならないため、製造工程の困難度が増えるだけではなく、生産コストも高くなり、さらに実際に製造する上では充分に適合しないという問題点があった。
【０００７】
また、上記のような従来のゴルフクラブヘッド構造においては、レーザー装置または再溶解機構にはエネルギーの分布の不均一を改善できる部材を有しない状態で、エネルギービームが過大な肉厚を有するフェース板に射撃した場合、エネルギーの分布は不均一になり易いため、ゴルフクラブヘッドの加工の精確度が低くなったり欠陥が生じたりするという問題点があった。
【０００８】
さらに、上記のような従来のゴルフクラブヘッド構造においては、上記のような熱処理の過程においてレーザービームで精確な局部の熱処理を行う時、レーザーの機器にはエネルギーの分布の不均一を改善できる部材を有しないため、フェース板の肉厚が厚すぎることにより、エネルギーの分布が不均一になり、周辺エリアの熱処理エリアの表面に部分的な溶融または凹みが生じてしまう。そして、表面の凹みが生じるのを避けるべく、レーザーの照射時間と強度は制限されてしまうため、レーザーによる熱処理の品質が悪くなるという問題点があった。このように、上記のような従来のゴルフクラブヘッド構造をさらに改良しなければならない。
【０００９】
本発明はこのような問題点に鑑みて発明したものであって、その目的とするところは、上述した問題点を免除することにより、ゴルフクラブヘッドが熱処理を受けたエリアのエネルギーの分布は均一になり、薄壁部の熱処理の品質を確保することができ、さらにゴルフクラブヘッドは比較的高い硬度、引き伸ばし強度と耐摩損度を有することができる表面改質型ゴルフクラブヘッドを提供しようとするものである。
【００１０】
本発明の第一の目的は、ゴルフクラブヘッドの予定の部位において例えば肉厚が比較的薄い薄壁部において改質エリアを形成し、改質エリアはその他のエリアと異なる機械的性質を有することができる表面改質型ゴルフクラブヘッドを提供しようとするものである。
【００１１】
本発明の第二の目的は、高エネルギー装置からエネルギービームを輸出し、そしてピンぼけの方式をもってエネルギービームをエネルギー均一装置に通過させた後、ヘッド本体またはフェース板の内の一つにある局部エリアを照射することができるゴルフクラブヘッドの改質方法を提供しようとするものである。
【課題を解決するための手段】
【００１２】
上記目的を達成するために、本発明による表面改質型ゴルフクラブヘッドは、下記のようになるものである。すなわち、
ヘッド本体およびフェース板により構成される表面改質型ゴルフクラブヘッドである。ヘッド本体とフェース板には少なくとも一個の改質エリアが形成され、改質エリアの外側の表面は高エネルギー装置から発生し、かつエネルギー均一装置を通過したエネルギーを接収して照射することにより、その他のエリアと異なる機械的性質を有するように形成される。
【００１３】
本発明による表面改質型ゴルフクラブヘッドは、はヘッド本体またはフェース板の弾性変形の量が比較的大きいエリアに形成されることもできる。また、改質エリアは円環状からなることもできる。また、改質エリアは環状からなることもできる。また、改質エリアの外側の表面の改質深さは１．５ｍｍより小さくなるように形成されることもできる。また、改質エリアの内側の表面は高エネルギー装置のエネルギーを接収して照射するように形成されることもできる。また、改質エリアの外側の表面と内側の表面の改質深さは１．０ｍｍより小さくなるように形成されることもできる。また、高エネルギー装置はレーザー装置またはプラズマ装置により構成されるグループからなることもできる。また、上記エネルギー均一装置は積分鏡からなることもできる。また、ヘッド本体とフェース板は一体成形になるように形成されることもできる。
【００１４】
また、本発明によるゴルフクラブヘッドの表面改質方法は、ヘッド本体およびフェース板により構成されるゴルフクラブヘッドにおいて、その表面改質方法は下記の段階を含み、ａ）高エネルギー装置とエネルギー均一装置を提供する段階と、ｂ）高エネルギー装置からエネルギービームを輸出し、そしてピンぼけの方式をもって上記エネルギービームを上記エネルギー均一装置に通過させた後、ヘッド本体とフェース板の内の一つにある局部エリアを照射することにより、上記局部エリアはその他のエリアと異なる機械的性質を有するように形成される段階とを含む。
【００１５】
さらに、本発明によるゴルフクラブヘッドの表面改質方法は、上記局部エリアは薄壁部に位置するように形成されることもできる。また、上記局部エリアの外側の表面は上記エネルギービームの照射を受けることもできる。また、上記局部エリアの外側の表面の改質深さは１．５ｍｍより小さくなるように形成されることもできる。また、上記局部エリアの外側の表面と内側の表面は全て上記エネルギービームの照射を受けることもできる。また、上記局部エリアの外側の表面と内側の表面の改質深さは１．０ｍｍより小さくなるように形成されることもできる。また、高エネルギー装置はレーザー装置またはプラズマ装置により構成されるグループからなることもできる。また、上記エネルギー均一装置は積分鏡からなることもできる。また、上記ピンぼけの方式は正ピンぼけまたは負ピンぼけの方式からなることもできる。
【発明の効果】
【００１６】
本発明の表面改質型ゴルフクラブヘッドによれば、ゴルフクラブヘッドの予定の部位において例えば肉厚が比較的薄い薄壁部において改質エリアを形成し、改質エリアはその他のエリアと異なる機械的性質を有することができるという利点がある。
【００１７】
本発明のゴルフクラブヘッドの表面改質方法によれば、高エネルギー装置からエネルギービームを輸出し、そしてピンぼけの方式をもってエネルギービームをエネルギー均一装置に通過させた後、ヘッド本体またはフェース板の内の一つにある局部エリアを照射することができるという利点がある。
【発明を実施するための最良の形態】
【００１８】
本発明の実施の形態について、以下、図面を参照して説明する。
【実施例１】
【００１９】
図１、２を参照すると、本発明の実施例１の表面改質型ゴルフクラブヘッド１にはクラウン部、ソール部、側面と背面を有するヘッド本体１１、フェース板１２およびホーゼル１３が含まれ、そしてゴルフクラブヘッド１は一体成形の方式により製成されるヘッド本体１１には少なくとも一個の金属基材からなる薄壁部ａが形成され、そして図２に示すように、薄壁部ａは選択的にヘッド本体１１のクラウン部に形成され、さらに薄壁部ａの肉厚はヘッド本体１１のその他の部位の肉厚より小さくなるように形成され、一般としては１．５ｍｍ以下になるように形成され、比較的によいのは１．２ｍｍ以下になるように、さらによいのは１．０ｍｍ以下になるように、最もよいのは０．８ｍｍ以下になるように形成される。その他に、薄壁部ａにおいては円環状の改質エリア１１１と改質エリア１１２が形成され、改質エリア１１１と改質エリア１１２の機械的性質はその他の改質でないエリアの機械的性質とは異なるように形成される。
【００２０】
実施例１において、ゴルフクラブヘッド１は選択的に一体成形になるように、または組立て結合するような方式で製造することができ、例えば精密鋳造、鍛造、機械加工、溶接、圧合嵌設、貼接、硬ろう付けまたは螺設などの方式で製造することができる。そして、一体成形になるような方式を採用する場合、ゴルフクラブヘッド１は金属材料（等方性材料 isotropic）を採用する。さらに、組立てて結合する方式を採用して製造する場合、ゴルフクラブヘッド１は選択的に金属材料と非金属材料（非等方性材料 anisotropic）などの異種材料から複合して製成することができる。上述した金属材料はステンレス鋼（例えば１７‐４ＰＨステンレス鋼）、炭素鋼、低炭素鋼、合金鋼、低合金鋼、フェロ−マンガン−アルミ合金、鋳鉄、ニッケル合金、構造用鋼、超合金鋼またはチタン合金（６アルミ‐４バナジウムのチタン合金）などの材質から選択することができる。さらに、上述した非金属材料は各種の高分子とその繊維の複合材料（polymer or fiber reinforced composite）から選択することができ、例えば炭素繊維（carbon fiber）含浸織物とケブラー繊維（デュポン社出品のKevlar（登録商標）ポリパラフェニレンテレフタルアミド繊維poly p-phenylene terephthalamide, PPTA）から選択することができる。
【００２１】
実施例１において、改質エリア１１１と改質エリア１１２は高エネルギー装置２から発生し、かつエネルギー均一装置３（例えば積分鏡）を通過したエネルギービームをゴルフクラブヘッド１の薄壁部ａの二個の局部エリアの外側の表面まで照射することにより、高エネルギーの熱処理を行って形成するものである。高エネルギー装置２はプラズマ（plasma）装置、YAGレーザー装置または二酸化炭素（ＣＯ２）レーザー装置からなることができる。高エネルギー装置２がレーザー装置からなる場合、エネルギー均一装置３によりレーザー装置のレーザービーム（図示せず）が薄壁部ａの外側の表面におけるエネルギーの分布は均一になり、さらに熱処理の品質を高めることができる。その他に、レーザー装置をもって薄壁部ａに対して熱処理を行う時、上記レーザー装置のピント合わせの方式は正ピンぼけまたは負ピンぼけからなることができるため、熱処理時においてレーザービームの焦点の場所（図示せず）におけるパワーの密度が高過ぎることにより、薄壁部ａの表面に欠陥が生じるのを避けることができる。高エネルギーの熱処理を行うエリアの位置について言えば、改質エリア１１１はヘッド本体１１の弾性変形量が比較的大きいエリアに、すなわちヘッド本体１１のクラウン部の中央エリアに形成され、そして改質エリア１１２はヘッド本体１１の主な応力集中のエリアに、すなわちホーゼル１３に近いエリアに形成される。高エネルギーの熱処理を行うエリアの範囲について言えば、改質エリア１１１と改質エリア１１２の最適な外径はそれぞれ３０ｍｍと１０ｍｍであり、そして最適な内外径の差はそれぞれ８ｍｍと４ｍｍである。
【００２２】
ヘッド本体１１における熱処理を行っていないエリアと比較してみると、高エネルギーの熱処理を経た改質エリア１１１と改質エリア１１２は比較的高い硬度、引き伸ばし強度と耐摩損度などの機械的性質を有することにより、肉厚が比較的薄い薄壁部ａに充分な硬度と摩擦力を提供することができるため、ゴルフクラブヘッド１の全体の強度を確保することができる。実施例１において、改質エリア１１１と改質エリア１１２の最良な硬度は３８ＨＲＣより大きくなるように形成される。
【００２３】
また、上述した改質エリア１１１と改質エリア１１２の形成過程において、高エネルギー装置２は単なるヘッド本体１１の上の薄壁部ａに対して片面の改質を行うもので、すなわち単なる薄壁部ａの二個の局部エリアの外側の表面に対して照射または高エネルギーの熱処理を行うだけであり、このような状況で改質エリア１１１と改質エリア１１２の最良な改質深さまたはエネルギービームの照射深さと称するものは１．５ｍｍより小さくなるように形成される。しかし、高エネルギー装置２を利用してヘッド本体１１の上の薄壁部ａに対して両面の改質を行うこともでき、いわゆるヘッド本体１１の薄壁部ａの二個の局部エリアの外側と内側の表面に対して同時に高エネルギーの熱処理を行うことができ、このような状況で改質エリア１１１と改質エリア１１２の内側の表面と外側の表面の最良な改質深さは１ｍｍより小さくなるように形成される。
【００２４】
表１を参照すると、表面が高エネルギーの熱処理を経た改質後のゴルフクラブヘッドと表面が高エネルギーの熱処理を経ていないゴルフクラブヘッドとの打球の功能によるテストの結果が掲示される。
【００２５】
【表１】
2007195935.tif 000003
【実施例２】
【００２６】
図３、４を参照すると、本発明の実施例２の表面改質型ゴルフクラブヘッドが掲示される。実施例２の表面改質型ゴルフクラブヘッド１にはヘッド本体１１、フェース板１２およびホーゼル１３が含まれ、ヘッド本体１１とフェース板１２は多数の部材を組立ててから溶接の方式をもって結合してなるものである。ヘッド本体１１とフェース板１２の結合部位は薄壁部ａに属し、そして結合する部位には境界線ｂが形成される。その他に、薄壁部ａの境界線ｂに沿った両側の周辺エリアには改質エリア１１３が形成され、改質エリア１１３の機械的性質はその他の非改質エリアの機械的性質とは異なるように形成される。
【００２７】
実施例２において、改質エリア１１３は同様に実施例１で述べた高エネルギー装置２とエネルギー均一装置３および同じ方式を利用し、そしてヘッド本体１１とフェース板１２との結合部位の境界線ｂの両側の周辺エリアの外側の表面に沿って高エネルギーの熱処理を行ってなるものである。高エネルギー装置２が採用するピンぼけの方式、および改質エリアに対して選択的に片面の改質または両面の改質を行う方式も実施例１とは同じであるため、ここでは再び叙述しない。このような改質の方式を経てから、ゴルフクラブヘッド１のヘッド本体１１とフェース板１２との結合の溶接部位の強度などの機械的性質を相対的に高めることができる。
【実施例３】
【００２８】
図５、６を参照すると、本発明の実施例３の表面改質型ゴルフクラブヘッドが掲示される。実施例３の表面改質型ゴルフクラブヘッド１にはヘッド本体１１、フェース板１２およびホーゼル１３が含まれ、そしてゴルフクラブヘッド１は一体成形の方式により製成される。その他に、フェース板１２の中央の平板部ｃのスイートスポット（sweet spot）の周囲には環状の改質エリア１２１が形成される。
【００２９】
実施例３において、環状の改質エリア１２１は同様に実施例１で述べた高エネルギー装置２とエネルギー均一装置３および同じ方式を利用して平板部ｃのスイートスポットの周囲エリアの外側の表面に対して高エネルギーの熱処理を行ってなるものである。また、高エネルギー装置２が採用するピンぼけの方式、および改質エリアに対して選択的に片面の改質または両面の改質を行う方式も実施例１とは同じであるため、ここでは再び叙述しない。このような方式を経てから、フェース板１２に比較的よい弾性変形の能力を提供することができるため、ゴルフクラブヘッド１の打球の性能を高めることができる。
【実施例４】
【００３０】
図７、８を参照すると、本発明の実施例４の表面改質型ゴルフクラブヘッドが掲示される。実施例４の表面改質型ゴルフクラブヘッド１にはヘッド本体１１、フェース板１２およびホーゼル１３が含まれ、そしてゴルフクラブヘッド１は一体成形の方式により製成される。その他に、フェース板１２において二個の局部エリアにはそれぞれ順序に従って同心円の方式で内から外へ排列するように改質エリア１２２と改質エリア１２３が形成される。
【００３１】
実施例４において、改質エリア１２２と改質エリア１２３は同様に実施例１で述べた高エネルギー装置２とエネルギー均一装置３および同じ方式を利用して平板部ｃのスイートスポットとスイートスポットの周囲エリアに位置する外側の表面に対して異なるパワーの高エネルギーの熱処理を行ってなるものである。これにより、上記スイートスポットとスイートスポットの外側に位置するエリアとの機械的性質（例えば硬度と引き伸ばし強度など）は差異性を有するように形成される。また、高エネルギー装置２が採用するピンぼけの方式、および改質エリアに対して選択的に片面の改質または両面の改質を行う方式も実施例１とは同じであるため、ここでは再び叙述しない。
【００３２】
さらに詳しく言えば、実施例４においてフェース板１２のスイートスポットは比較的小さい肉厚を有するように形成されるのに対し、スイートスポットの周囲エリアは比較的大きい肉厚を有するように形成される。すなわち、高エネルギー熱処理を行う時、スイートスポットに対してパワーが比較的大きい高エネルギーの熱処理を行うことによって改質エリア１２２を形成するのに対し、スイートスポットの周囲エリアに対してパワーが比較的小さい高エネルギーの熱処理を行うことによって改質エリア１２３を形成することができる。これにより、改質エリア１２２を含んだスイートスポットは比較的よい硬度と耐久性を有するように形成され、そして改質エリア１２３を含んだ周囲エリアは比較的よい弾性変形の能力を有するように形成されるため、ゴルフクラブヘッド１の全体の打球の性能を高めることができる。
【００３３】
以上、本発明の各実施例における表面改質型ゴルフクラブヘッドについて詳細な説明を行った。注意すべきことは、前述した薄壁部ａはヘッド本体１１のクラウン部に位置するだけでは限らず、ヘッド本体１１の任意なエリアに、例えばソール部、側面、背面とホーゼル１３に位置することができる。また、前述した薄壁部ｃはフェース板１２の任意なエリアに位置することができる。
【産業上の利用可能性】
【００３４】
上述の如く、本発明の表面改質型ゴルフクラブヘッドによれば、エネルギー均一装置３を設けた高エネルギー装置２を採用して適当なピンぼけの方式をもってゴルフクラブヘッド１に対して高エネルギーの熱処理を行うことにより、従来の再溶解の加工方式でゴルフクラブヘッドに対して改質を行って生じたエネルギー分布の不均一と信頼性が低くなるという問題点を克服することができるため、熱処理の歩留まりを確実に高め、さらにゴルフクラブヘッド１の機械的性質を有効に変えることができる。
【００３５】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００３６】
【図１】本発明の実施例１の表面改質型ゴルフクラブヘッドおよびその改質方法による斜視図である。
【図２】本発明の実施例１の表面改質型ゴルフクラブヘッドによる図１のII−II線に沿った断面図である。
【図３】本発明の実施例２の表面改質型ゴルフクラブヘッドおよびその改質方法による斜視図である。
【図４】本発明の実施例２の表面改質型ゴルフクラブヘッドによる図３のIV−IV線に沿った断面図である。
【図５】本発明の実施例３の表面改質型ゴルフクラブヘッドおよびその改質方法による斜視図である。
【図６】本発明の実施例３の表面改質型ゴルフクラブヘッドによる図５のVI−VI線に沿った断面図である。
【図７】本発明の実施例４の表面改質型ゴルフクラブヘッドおよびその改質方法による斜視図である。
【図８】本発明の実施例４の表面改質型ゴルフクラブヘッドによる図７のVIII−VIII線に沿った断面図である。
【符号の説明】
【００３７】
１    ゴルフクラブヘッド              １１    ヘッド本体
１１１    改質エリア                    １１２    改質エリア
１１３    改質エリア                      １２    フェース板
１２１    改質エリア                    １２２    改質エリア
１２３    改質エリア                      １３    ホーゼル
２    高エネルギー装置                  ３    積分鏡
ａ    薄壁部                            ｂ    境界線
ｃ    平板部
【図１】
2007195935.tif 000004
【図２】
2007195935.tif 000005
【図３】
2007195935.tif 000006
【図４】
2007195935.tif 000007
【図５】
2007195935.tif 000008
【図６】
2007195935.tif 000009
【図７】
2007195935.tif 000010
【図８】
2007195935.tif 000011